(57)【要約】【課題】本発明は、水に通電することにより得られる電解水を用いて、空気中の細菌、真菌、ウイルス、臭いなどの除去を行う空気清浄装置に関するもので、汚れた電解水の排水作業を容易にすることを目的とする。【解決手段】そしてこの目的を達成するために本発明は、吸気口２と吹出口３とを有する本体ケース１内に送風手段４と空気清浄手段５とを設け、空気清浄手段は、トレイ６と、このトレイ６に水を供給する給水タンク７と、電解ユニット８と、フィルター部９と、トレイ６内の水を貯水する排水タンク２０とから形成し、給水タンク７は、第１の給水タンク取手部２１を有し、排水タンク２０は、排水タンク取手部２２を有し、排水タンク２０の排水タンク取手部２２の一部は、給水タンク７の第１の給水タンク取手部２１に重なる構成により、給水タンク７と排水タンク２０を同時に片手で運搬することができるため汚れた電解水の排水作業の負担が低減される。【選択図】図７
2014064650.tif 000002
【特許請求の範囲】
【請求項１】
吸気口と吹出口とを有する本体ケースと、この本体ケース内に送風手段と空気清浄手段とを設け、この空気清浄手段は、天面が開口した椀形状のトレイと、このトレイに水を供給する給水タンクと、前記トレイ内の水で電解水を生成する電解ユニットと、前記トレイ内の水を吸水する吸水ポンプと、この吸水ポンプによって吸水された水を貯水する排水タンクと、前記トレイ内の水に一部が浸漬したフィルター部とから形成し、前記送風手段によって前記吸気口から吸い込まれた空気が前記フィルター部を介して前記吹出口へ送風される構成とし、前記給水タンクは、第１の給水タンク取手部を有し、前記排水タンクは、排水タンク取手部を有し、前記排水タンクの前記排水タンク取手部の一部は、前記給水タンクの前記第１の給水タンク取手部に重なることを特徴とする空気清浄装置。
【請求項２】
前記給水タンクは、箱形状で、前記第１の給水タンク取手部は、前記給水タンクの一側面に平行に伸びた棒形状で、前記排水タンクは、縦長箱形状で、蓋を有し、上部に回動自在に前記排水タンク取手部を設けた構成とし、前記排水タンク取手部は、前記排水タンクの対向した側面の上部から伸びた２本の支持部と、これら支持部を連結する棒形状の把手部とからなり、支持部は、前記第１の排水タンクの取手部を上方に向けた時に把手部の高さが、前記給水タンク取手部と同等の高さとなる長さであり、前記把手部が前記第１の給水タンク取手部に重なると共に、前記排水タンクの側面の一部と前記給水タンクの側面の一部とが接触することを特徴とする請求項１に記載の空気清浄装置。
【請求項３】
前記排水タンクの前記排水タンク取手部内には、腕を挿入可能なことを特徴とする請求項１または２に記載の空気清浄装置。
【請求項４】
前記給水タンクの容積は、前記排水タンクの容積よりも大きいと共に、前記給水タンクは、第２の給水タンク取手部を有し、前記排水タンクの前記排水タンク取手部の一部は、前記給水タンクの前記第２の給水タンク取手部に重なることを特徴とする請求項１から３のいずれかに記載の空気清浄装置。
【請求項５】
前記把手部が前記第２の給水タンク取手部に重なると共に、前記排水タンクの側面の一部と前記給水タンクの側面の一部とが接触することを特徴とする請求項４に記載の空気清浄装置。
【発明の詳細な説明】
【技術分野】
【０００１】
本発明は、水に通電することにより得られる電解水を用いて、空気中の細菌、真菌、ウイルス、臭いなどの除去を行う空気清浄装置に関するものである。
【背景技術】
【０００２】
従来、水道水に塩を投入することで塩素イオンを増やした水を電気分解することで、次亜塩素酸を含む電解水を生成させ、この電解水を用いて空気中に浮遊する細菌等の除去を測った空気清浄装置が提案されている。この種の空気清浄装置の構造は、以下のようになっていた。
【０００３】
すなわち、不織布等からなる加湿エレメントに電解水を供給して、加湿エレメント上で空気中の菌等を電解水に接触させ、細菌等を抑制することにより、空気中の細菌等の除去しようとするものであった（例えば下記特許文献１）。
【先行技術文献】
【特許文献】
【０００４】
【特許文献１】特開２０１２−５２６９９号公報
【発明の概要】
【発明が解決しようとする課題】
【０００５】
電解水を長時間に亘り利用する場合、この電解水に汚れが生じ、この汚れにより電解性能が低下し、ひいては除菌性能が低下するといった問題を招くものであった。そこで、給水タンクに水道水を供給する際、加湿エレメントが電解水と接するトレイを排水設備まで運び、中の汚水を排水する必要があった。トレイは給水タンクおよび加湿エレメントの受け皿であるため、大型であり、給排水時には、給水タンクとトレイを別々に２度に渡り運ぶ必要があるとともに、製品下部に存在するため、排水作業が面倒であった。
【０００６】
そこで、本発明は、上記従来の課題を解決するものであり、汚れた電解水の排水作業を容易とする空気清浄装置を提供することを目的とするものである。
【課題を解決するための手段】
【０００７】
そして、この目的を達成するために本発明は、吸気口と吹出口とを有する本体ケースと、この本体ケース内に送風手段と空気清浄手段とを設け、この空気清浄手段は、天面が開口した椀形状のトレイと、このトレイに水を供給する給水タンクと、前記トレイ内の水で電解水を生成する電解ユニットと、前記トレイ内の水を吸水する吸水ポンプと、この吸水ポンプによって吸水された水を貯水する排水タンクと、前記トレイ内の水に一部が浸漬したフィルター部とから形成し、前記送風手段によって前記吸気口から吸い込まれた空気が前記フィルター部を介して前記吹出口へ送風される構成とし、前記給水タンクは、第１の給水タンク取手部を有し、前記排水タンクは、排水タンク取手部を有し、前記排水タンクの前記排水タンク取手部の一部は、前記給水タンクの前記第１の給水タンク取手部に重なることを特徴とするものである。
【０００８】
そして、これら手段により、初期の目的を達成するものである。
【発明の効果】
【０００９】
以上のように本発明は、吸気口と吹出口とを有する本体ケースと、この本体ケース内に送風手段と空気清浄手段とを設け、この空気清浄手段は、天面が開口した椀形状のトレイと、このトレイに水を供給する給水タンクと、前記トレイ内の水で電解水を生成する電解ユニットと、前記トレイ内の水を吸水する吸水ポンプと、この吸水ポンプによって吸水された水を貯水する排水タンクと、前記トレイ内の水に一部が浸漬したフィルター部とから形成し、前記送風手段によって前記吸気口から吸い込まれた空気が前記フィルター部を介して前記吹出口へ送風される構成とし、前記給水タンクは、第１の給水タンク取手部を有し、前記排水タンクは、排水タンク取手部を有し、前記排水タンクの前記排水タンク取手部の一部は、前記給水タンクの前記第１の給水タンク取手部に重なることを特徴とするものである。
【００１０】
これにより、汚れた電解水を排水するためにトレイを、本体ケースから外し排水設備まで運ぶ代わりに、汚れた電解水の入った前記排水タンクのみをトレイから外し排水設備まで運ぶことにより、トレイ内の水の排水作業が出来るようになり、排水タンクは給水タンクと取手部を重ねて持つことができるため、給排水作業が同時に可能となることで排水作業を容易にすることができる空気清浄装置を提供することができる。
【図面の簡単な説明】
【００１１】
【図１】本発明の実施の形態１の空気清浄装置の概略図
【図２】同空気清浄装置の概略断面を示す図
【図３】同空気清浄装置の概略構成を示す図
【図４】同空気清浄装置の保管ケース部の概略図
【図５】同空気清浄装置の給水タンクの概略図
【図６】同空気清浄装置の排水タンクの概略図
【図７】同空気清浄装置の給水タンクと排水タンクの概略図
【図８】同空気清浄装置の給水タンクと排水タンクの概略図
【発明を実施するための形態】
【００１２】
以下、本発明の実施形態について図面を参照しながら説明する。
【００１３】
（実施の形態１）
図１に示すように、本実施形態の空気清浄装置においては、略箱形状の本体ケース１により構成され、本体ケース１の両側面には、略四角形状の吸気口２を設け、また本体ケース１の天面には、略四角形状の吹出口３を設けている。
【００１４】
図２に示すように、この本体ケース１内には、送風手段４と空気清浄手段５とを備えている。
【００１５】
送風手段４は、本体ケース１の上部に設けられ、モータとモータにより回転する羽根車とそれらを囲むケースとから構成されるいわゆるシロッコファンとして形成されている。
【００１６】
空気清浄手段５は、水を貯水するトレイ６と、トレイ６に水を供給する給水タンク７と、トレイ６内の水で電解水を生成する電解ユニット８と、トレイ６内の水に一部が浸漬したフィルター部９と、トレイ６内の水の一部を貯水する排水タンク２０と、この排水タンク２０へトレイ６内の水を汲み上げる吸水ポンプ（図示せず）とからから形成されている。
【００１７】
トレイ６は、天面を開口した箱形状をしており、水を貯水できる構造となっており、本体ケース１の下部に配置され、本体ケース１から水平方向にスライドして着脱可能となっている。
【００１８】
給水タンク７は本体ケース１内部の正面側に、トレイ６に内蔵される形で設置され、トレイ６から着脱可能な構造となっている。
【００１９】
給水タンク７はキャップ２７により密閉できる構造となっているが、トレイ６に給水タンク７を設置すると、キャップ２７に設けられた水栓が解放され、水がトレイ６に供給される構造となっている。水面が水栓まで上昇してくると、水面により給水タンク７が密閉され、水の供給が停止し、常に一定量の水を供給することができる。
【００２０】
電解ユニット８は、複数枚の電極板で構成されており、この電極板がトレイ６内の水に浸かるように設置され、これらの電極に通電することによりトレイ６内の塩化物イオンを含む水（本実施例では水道水に塩化ナトリウムを溶解させた水）を電気化学的に電気分解することにより、電解水を生成させる。
【００２１】
フィルター部９は、トレイ６において電解ユニット８により生成された電解水と、送風手段４によって本体ケース１内に吸込まれた室内空気とを接触させる部材である。円筒状に構成され、円周部分に空気が流通可能な孔を備えたフィルターを配置し、その一端がトレイ６の電解水に浸漬するように、トレイ６に回転自在に内蔵されている。そして、駆動部（図示しない）による回転され、電解水と室内空気を連続的に接触させる構造となっている。
【００２２】
なお、フィルター部９を構成する材料としては、電解水に反応性の少ない材料、即ち、電解水による劣化が少ない材料、例えばポリオレフィン系樹脂（ポリエチレン樹脂、ポリプロピレン樹脂等）、ＰＥＴ（ポリエチレン・テレフタラート樹脂）、塩化ビニル樹脂、フッ素系樹脂（ＰＴＦＥ、ＰＦＡ、ＥＴＦＥ等）、セルロース系材料又はセラミック系材料等が使用され、本実施例では、ポリエステルが採用される。
【００２３】
以上の構成において、空気清浄装置の動作を説明する。給水タンク７により水道水がトレイ６に供給される。このときユーザーにより、塩化ナトリウムが同時にトレイ６に投入される。塩化物イオンを含んだ水に対して、電解ユニット８により通電され、電気分解して、次亜塩素酸を含む電解水を生成する。
【００２４】
ここで、次亜塩素酸は広義の活性酸素種に含まれるもので、強力な酸化作用や漂白作用を有すため、次亜塩素酸を含む電解水はウイルス等の不活化、細菌抑制、有機化合物の分解等様々な効果を発揮するものである。
【００２５】
電解水は、フィルター部９の回転によりフィルター部９全体を浸漬し、送風手段４により、吸気口２から本体ケース１内に吸込まれた室内空気と接触することになる。
【００２６】
室内空気とともに本体ケース１内に吸込まれる、空気中の細菌、真菌（カビ）、ウイルス、臭い成分などは、フィルター部９上で、電解水と接触することにより、分解、不活化などがなされ、清浄された空気が、吹出口３から室内に供給されることになる。
【００２７】
図３に示すように、本体ケース１を、前面側が開口した略箱形状の背面ケース部１０と、この背面ケース部１０の開口に設けた前面ケース部１１とから構成し、本体ケース１内において、給水タンク７の上方に空間部１２を備え、給水タンク７は、背面ケース部１０の開口から空間部１２を介して上方へ取り外し可能な構造とし、塩化ナトリウム保管手段１３を前面ケース部１１に設置し、前面ケース部１１にて背面ケース部１０を閉口した時、塩化ナトリウム保管手段１３が空間部１２に位置するものである。
【００２８】
前面ケース部１１は、背面ケース部１０の一方側面側に設けられた回転軸を中心に回動する構成となっており、給水タンク７やトレイ６などを着脱する際には、前面ケース部１１を開口することになる。
【００２９】
また、図４に示すように、塩化ナトリウムを一回の投入量に合わせてタブレット状の塩タブレット１４として形成し、塩化ナトリウム保管手段１３は、塩タブレット１４を複数個、内蔵可能な保管ケース部１５と、この保管ケース部１５を保持するケース保持部１６とから形成している。
【００３０】
このケース保持部１６は、前面ケース部１１に設けられており、保管ケース部１５を受ける形状で構成されており、保管ケース部１５はケース保持部１６に着脱自在に配置されている。
【００３１】
保管ケース部１５は、上面に開口を有した中空縦長円柱形状の保管容器１７と、この開口に設けた蓋１８とから形成されている。保管容器１７の色は、前面ケース部１１の内面の色と異なるものである。保管ケース部１５の高さは、給水タンク７を本体ケース１内に装着した状態での、給水タンク７の本体ケースにおける左右方向の長さより短いのである。
【００３２】
また、ケース保持部１６に保管ケース部１５を装着すると、保管容器１７の開口は、側方に位置する構成となっている。
【００３３】
背面ケース部１０には、仕切板部１９を有し、この仕切板部１９の背面側には、送風手段４とフィルター部９とが位置し、前面側には、給水タンク７と排水タンク２０とが位置する。すなわち、仕切板部１９の背面側が、送風手段４の風路となる。給水タンク７と排水タンク２０とは隣り合い、給水タンク７の一方側、つまり本体ケース１における右側に、排水タンク２０が位置する。
【００３４】
本実施の形態における特徴は、図５から図７に示すように、給水タンク７は、第１の給水タンク取手部２１を有し、排水タンク２０は、排水タンク取手部２２を有する。ここで、排水タンク２０の排水タンク取手部２２の一部は、給水タンク７の第１の給水タンク取手部２１に重なるものである。
【００３５】
これにより、電解水の長時間に亘る利用により電解水に汚れが生じた時、汚れた電解水を排水するためにトレイ６を、本体ケース１から外し排水設備まで運ぶ代わりに、汚れた電解水の入った排水タンク２０のみをトレイ６から外し排水設備まで運ぶことにより、トレイ６内の水の排水作業が出来るようになり排水作業の負担が低減されるという効果を奏する。また、電解水が汚れるとは長時間運転された時であるため、給水タンク７への給水作業も必要となる。ここで、排水タンク２０は給水タンク７と各取手部で重ねて持つことができるため、給水時に片手で給水タンク７と排水タンク２０を給排水設備から持ち帰ることが可能となり、排水作業の負荷が低減されるという効果を奏する。
【００３６】
また、給水タンク７は、箱形状で、第１の給水タンク取手部２１は、給水タンクの一側面に平行に伸びた棒形状である。排水タンク２０は、縦長箱形状で、蓋２５を有し、上部に回動自在に排水タンク取手部２２を設けたものである。排水タンク取手部２２は、排水タンク２０の対向した側面の上部から伸びた２本の支持部２３と、これら支持部２３を連結する棒形状の把手部２４とからなる。支持部２３は、排水タンク２０の取手部を上方に向けた時に把手部２４の高さが、第１の給水タンク取手部２１と同等の高さとなる長さであり、把手部２４が第１の給水タンク取手部２１に重なると共に、排水タンク２０の側面の一部と給水タンク７の側面の一部とが接触する。
【００３７】
排水タンク２０が縦長箱形状で、蓋２５を有することにより、排水設備まで運ぶ際の排水タンク運搬時の漏水は、天面が開口した椀形状のトレイ６運搬時と比較し低減される。
【００３８】
また、排水タンク２０の把手部２４の高さが、第１の給水タンク取手部２１と同等の高さであるため、排水タンク２０をトレイ６より取り外す際に、しゃがむ必要がなくなり、給水タンク７と排水タンク２０を同時にトレイ６より取り外し易くなる。取り外した給水タンク７と排水タンク２０とを同時に給排水設備まで運ぶ際、把手部２４が第１の給水タンク取手部２１に重ねることが出来るため給水タンク７と排水タンク２０とを片手で運搬することが出来ると共に、排水タンク２０の側面の一部と給水タンク７の側面の一部とが接触することで排水タンク２０の位置が安定し、中に入っている排水が漏水し難くなることで、排水タンクが空の給排水設備からの帰りだけでなく、排水タンクに水が入っている行きも漏水を気にすることなく、給水タンク７と排水タンク２０とを同時に片手で持つことが出来ることで、排水作業の負荷が低減されるという効果を奏する。
【００３９】
また、排水タンク２０の排水タンク取手部２２内には、腕を挿入可能なものである。これにより、給水タンク７と排水タンク２０を両手で持つ場合についても、排水タンク２０を手で持つのではなく、腕にかけて排水設備まで運搬することが出来るようになるため、片手が使えることになり、排水作業の負荷が低減されるという効果を奏する。
【００４０】
また、図８に示すように、給水タンク７の容積は、排水タンク２０の容積よりも大きいと共に、給水タンク７は、第２の給水タンク取手部２６を有している。排水タンク２０の排水タンク取手部２２の一部は、給水タンク７の第２の給水タンク取手部２６に重なるものである。
【００４１】
これにより、給水タンク７を横向きの状態で給排水設備から持ち帰る時にも、排水タンク２０を給水タンク７と各取手部で重ねて持つことができるため、給水時に片手で給水タンク７と排水タンク２０を給排水設備から持ち帰ることが可能となり、排水作業の負荷が低減されるという効果を奏する。
【００４２】
また、第１の給水タンク取手部２１に対向して、給水タンク７におけるキャップ２７を備えている。このキャップ２７には、キャップ２７から下方へ伸びた円筒形状の筒部２８を有している。この筒部２８内に、水滴が付着している場合には、第２の給水タンク取手部２６を上にして運ぶことにより、キャップ２７の筒部内の水滴が滴下するのを抑制できる。
【００４３】
また、把手部２４が第２の給水タンク取手部２６に重なると共に、排水タンク２０の側面の一部と給水タンク７の側面の一部とが接触する。
【００４４】
これにより、給水タンク７の向きや、排水タンク２０の水量を気にすることなく、それぞれの取手部を重ねて片手で持ち運ぶことが可能となり、排水作業の負荷が低減されるという効果を奏する。
【産業上の利用可能性】
【００４５】
本発明にかかる空気清浄装置は、吸気口と吹出口とを有する本体ケースと、この本体ケース内に送風手段と空気清浄手段とを設け、この空気清浄手段は、天面が開口した椀形状のトレイと、このトレイに水を供給する給水タンクと、トレイ内の水で電解水を生成する電解ユニットと、トレイ内の水に一部が浸漬したフィルター部と、トレイ内の水を吸水する吸水ポンプと、この吸水ポンプによって吸水された水を貯水する排水タンクとから形成し、送風手段によって吸気口から吸い込まれた空気が前記フィルター部を介して吹出口へ送風される構成とし、給水タンクは、第１の給水タンク取手部を有し、排水タンクは、排水タンク取手部を有し、排水タンクの排水タンク取手部の一部は、給水タンクの第１の給水タンク取手部に重なる構成にしたことにより、給水タンクと排水タンクを同時に片手で運搬することができるため、汚れた電解水の排水作業の負担が低減される空気清浄装置を提供することができる。
【００４６】
したがって、家庭用や事務用、公共空間などの、除菌・脱臭などの空気清浄装置としての活用が期待されるものである。
【符号の説明】
【００４７】
１    本体ケース
２    吸気口
３    吹出口
４    送風手段
５    空気清浄手段
６    トレイ
７    給水タンク
８    電解ユニット
９    フィルター部
１０  背面ケース部
１１  前面ケース部
１２  空間部
１３  塩化ナトリウム保管手段
１４  塩タブレット
１５  保管ケース部
１６  ケース保持部
１７  保管容器
１８  蓋
１９  仕切板部
２０  排水タンク
２１  第１の給水タンク取手部
２２  排水タンク取手部
２３  支持部
２４  把手部
２５  蓋
２６  第２の給水タンク取手部
２７  キャップ
２８  筒部
【図１】
2014064650.tif 000003
【図２】
2014064650.tif 000004
【図３】
2014064650.tif 000005
【図４】
2014064650.tif 000006
【図５】
2014064650.tif 000007
【図６】
2014064650.tif 000008
【図７】
2014064650.tif 000009
【図８】
2014064650.tif 000010